(57)【要約】【課題】本発明は、限られたスペースでも、コンパクトに見映えよく植物を支え、樹形を外観よく整え、栽培初期、途中を問わず、多種類の植物成育特性に応じて使用できる植物栽培・観賞用の支柱を提供することを目的とするものである。【解決手段】上記課題を解決するために、本発明は、地中に埋設する差込部を下部に有する複数の縦軸と、前記縦軸に垂直に交叉するように交叉するように取り付けられた複数の弧状の横軸からなることを特徴とする植物栽培用支柱、及び前記植物栽培用支柱を複数同時に使用し、植物の周囲を囲むことを特徴とする植物栽培用支柱セットの構成とした。【選択図】図２
2008035794.tif 000002
【特許請求の範囲】
【請求項１】
地中に埋設する差込部を下部に有する複数の縦軸と、前記縦軸に垂直に交叉するように取り付けられた複数の弧状の横軸からなることを特徴とする植物栽培用支柱。
【請求項２】
前記横軸が、半円状、半楕円状、波状、略Ｌ字状、角状、コの字状、或いは多角形状であることを特徴とする請求項１に記載された植物栽培用支柱。
【請求項３】
縦軸の間隔が、設置面に向かって狭くなることを特徴とする請求項１又は請求項２に記載の植物栽培用支柱。
【請求項４】
縦軸が、上部に向かって弓なりに外側に反り返っていることを特徴とする請求項１乃至請求項３に記載の植物栽培用支柱。
【請求項５】
縦軸と横軸が斜めに交叉し、菱形形状の格子を形成することを特徴とする請求項１乃至請求項４に記載の植物栽培用支柱。
【請求項６】
左右略Ｌ字支柱と、前記左右略Ｌ字支柱の略水平部の屈曲点から複数の等距離の位置を結ぶ複数の弧状の横軸からなることを特徴とする植物栽培用支柱。
【請求項７】
請求項１乃至請求項６に記載の植物栽培用支柱を複数同時に使用し、植物の周囲を囲むことを特徴とする植物栽培用支柱セット。
【請求項８】
前記取り付けが、縦軸に設けられた丸棒状の横軸の断面の直径より僅かに大きく、円の中心が縦軸の外縁より内側にある溝に、或いは横軸に設けられた丸棒状の縦軸の断面の直径より僅かに大きく、円の中心が横軸の外縁より内側にある溝に、横軸、或いは縦軸を嵌め込み連結したことを特徴とする請求項１乃至請求項６の何れかに記載の植物用支柱、又は請求項７に記載の植物栽培用支柱セット。
【発明の詳細な説明】
【技術分野】
【０００１】
本発明は、植物、特に丈の高い、ツル性の観葉植物、野菜などをコンパクトに育種、栽培するための支柱に関する。
【背景技術】
【０００２】
昨今、家庭菜園、ガーデニングがブームである。ところが、都会などでは、畑、広い庭の確保が困難で、栽培スペースは、玄関先、ベランダ、庭の一角などに限られる。それらの限られたスペースで、鉢、コンテナ、円形、長方形、樽を長手方向に切断したタイプのプランターなどで野菜、植物を栽培するなどしている。
【０００３】
例えば、ツル性の植物、朝顔、バラでは、ツル性、シュラブ樹形、ブッシュ樹形のバラなどは支えが必要である。
【０００４】
朝顔などの自然に巻き付く形態の植物では、一般に特許文献１にあるような支柱を使用し、行灯仕立てにして栽培、観賞される。特許文献１に記載の植物鉢用支持体は、複数本の支柱２と、これら支柱２同士を複数段にわたって連結し支柱２を一定間隔をおいて保持する複数個の保持枠３とからなる植木鉢用支柱体１において、支柱２に保持枠３と連結するための連結部材４を取り付け、保持枠３に連結部材４に回動可能に係合して植木鉢用支柱体１を展開、折り畳み自在にするための係合部３０を設ける。また、保持枠３に、保持枠３のサイズを調節するためのアジャスター５を取り付けることを特徴とする。このような支柱は、キュウリ、瓜、ひょうたん、ゴーヤ、メロン、スイカなどのツル性野菜、果物などにも利用される。
【特許文献１】特開２００２−１１２６３８号公報
【０００５】
また、一部のバラなどのツル性樹木では、壁の壁面、オベリスク、トレリスなどに結束し、観賞用に育てる。しかし、限られたスペースで、ツル性のバラなどを成育させることは困難である。
【０００６】
例えば、ツルバラを壁面に這わせるためには、壁にネジ、釘を打ち込み、それにワイヤーを張って、ツルを結束するなど、大掛かりなことをしなければならない。時間もスペースも必要とする。また、シュラブ、ブッシュ樹形などの横張り樹形を特徴とするバラでも、一定のスペースを必要とし、玄関先、ベランダなどではとても栽培することは困難である。
【０００７】
一般には、非特許文献１にあるような外観の木製のトレリス、或いはラティスなどにツルを麻ロープ等で結束することが行われ、時間と手間を要することとなる。
【非特許文献１】意匠登録第１１４４３５３号公報
【発明の開示】
【発明が解決しようとする課題】
【０００８】
しかしながら、特許文献１に記載の植物鉢用支持体は、果実、野菜を実らす植物、樹状になる植物、バラなどには不向きである。構造が簡易で、朝顔程度の丈と、軽い植物は十分栽培することが可能であるが、実が重く、或いは堅いツルを持つバラなど樹状植物では強度が弱く、外観良く、樹形をまとめることができない。
【０００９】
また、非特許文献１に記載のトレリスでは、平面状で壁などに立て掛けて使用し、立て掛ける構造物がないと、鉢、プランターなどに使用しても直立安定性がない。また、一旦構造物に立て掛けて設置し、植物を栽培すると、移動することも困難である。特に、限られたスペースでは、日当たりが十分でないことも多く、太陽光の動きに合わせて、鉢、プランターを移動することをよくする。そのため移動する必要がある場所での植物栽培に使用するのには不向きである。
【００１０】
さらに、オベリスク様の支柱は、栽培初期から使用しなければならず、栽培途中から設置することは困難である。支柱の中心に植物を配置する場合、植物を傷つけず設置することは困難であるためである。
【００１１】
加えて、管理しなければならない植物の種類やコンテナなどのプランター数が増えてくると、庭などの栽培スペースをすっきりスマートに演出したいと考える。また、多種類の植物に適した支柱を用意すると植物の管理費用が高いものになってしまう。
【００１２】
そこで、本発明は、限られたスペースでも、コンパクトに見映えよく植物を支え、樹形を外観よく整え、栽培初期、途中を問わず、多種類の植物成育特性に応じて使用できる植物栽培・観賞用の支柱を提供することを目的とするものである。
【課題を解決するための手段】
【００１３】
本発明は、上記の課題を解決するために、地中に埋設する差込部３ｇを下部に有する複数の縦軸３〜３ｆと、前記縦軸に垂直に交叉するように取り付けられた複数の弧状の横軸２〜２ｄからなることを特徴とする植物栽培用支柱１の構成、前記横軸が、半円状、半楕円状、波状、略Ｌ字状、角状、コの字状、或いは多角形状であることを特徴とする前記植物栽培用支柱（１、１ａ、１ｂ、１ｄ、１ｅ、１ｇ、１ｆなど）の構成、縦軸の間隔が、設置面に向かって狭くなることを特徴とする前記植物栽培用支柱の構成、縦軸が、上部に向かって弓なりに外側に反り返っていることを特徴とする前記植物栽培用支柱の構成、縦軸と横軸が斜めに交叉し、菱形形状の格子を形成することを特徴とする前記植物栽培用支柱の構成、左右略Ｌ字支柱６、６ａと、前記左右略Ｌ字支柱６、６ａの略水平部６ｃ、６ｃの屈曲点６ｂ、６ｂから複数の等距離の位置を結ぶ複数の弧状の横軸７、７ａ、７ｂ・・・からなることを特徴とする植物栽培用支柱１ｃの構成、前記植物栽培用支柱１、１ａ、１ｂ、１ｃ、１ｄ、１ｅ、１ｆ、１ｇを複数同時に使用し、植物の周囲を囲むことを特徴とする植物栽培用支柱セット（１Ａ、１Ｂ、１Ｃなど）の構成及び前記取り付けが、縦軸１６ａに設けられた丸棒状の横軸１６ｃの断面の直径より僅かに大きく、円の中心１６ｅが縦軸１６ａの外縁１６ｄより内側にある溝１６ｂに、或いは横軸１７ａに設けられた丸棒状の縦軸１７ｃの断面の直径より僅かに大きく、円の中心１７ｅが横軸１７ａの外縁１７ｄより内側にある溝１７ｂに、横軸１６ｃ、或いは縦軸１７ｃを嵌め込み連結したことを特徴とする前記植物用支柱１、１ａ、１ｂ、１ｃ、１ｄ、１ｅ、１ｆ、１ｇなど、又は前記植物栽培用支柱セット１Ａ、１Ｂ、１Ｃなどの構成とした。
【発明の効果】
【００１４】
本発明は、以上の構成であるから以下の効果が得られる。第１に、限られたスペースでも、コンパクトに見映えよく植物を支え、樹形を外観よく整え、栽培初期、途中を問わず、多種類の植物成育特性に応じて使用できる植物栽培・観賞用の支柱を得ることができる
【００１５】
第２に、多種類の植物成育特性に応じ、また設置場所に応じ、例えば、アーチがおけない狭い庭、ツルが這えない、またはツルを結束できないブロック塀、壁、コンテナであっても、容易に、見映えよく植物を栽培することを可能にする。
【発明を実施するための最良の形態】
【００１６】
植物を見映え良く支え、植物の成長に併せて、簡易に支柱を変更し得るトレリス様、オベリスク様の植物栽培用支柱を提供するという目的を、地中に埋設する差込部を下部に有する複数の縦軸と、前記縦軸に垂直に交叉するように取り付けられた複数の半円状の横軸からなり、設置面に向かって、前記縦軸の間隔が狭く、かつ上部に向かって弓なりに外側に反り返り、格子形状を形成することを特徴とする植物栽培用支柱の構成とすることで実現した。
【００１７】
以下に添付図面に基づき、本発明である植物栽培用支柱について詳細に説明する。
【実施例１】
【００１８】
図１は、本発明である植物栽培用支柱の第１の実施例の斜視図である。植物栽培用支柱１は、複数の同形状の縦軸と、縦軸に垂直に交叉するように取り付けられた複数の弧状の横軸からなり、前記縦軸の下部は、地中に埋設する差込部３ｇが設けられている。その結果、格子を形成し、長方形の空間２ｅを有する全体として半円筒形状の支柱となる。
【００１９】
例えば、ここでは縦軸７本、第１縦軸３〜第７縦軸３ｆと、前記縦軸の上頂点らか等間隔で、半円形（弧状）の横軸５本、第１横軸２〜第５横軸２ｄを取り付けて形成した半円筒形の植物栽培用支柱１の例を示した。
【００２０】
差込部３ｇの長さは、支える植物の大きさ、設置場所により、最下位部の横軸、ここでは第５横軸２ｄの縦軸への固定場所を適宜選択して調整する。また、縦軸、横軸の使用本数も、支える植物の大きさ、設置場所により、適宜変更することができる。さらに、横軸は弧状であれば、半円、半楕円或いは半楕円などを任意の大きさに分割した形状である扇型形状など多彩な弧状形状を選択し得る。
【００２１】
これによりなる本発明である植物栽培用支柱１は、風雨等で倒れないよう、また直立方向に成育するツル性植物なの花、果実、野菜の茎、枝を片側から支えることに向く。本発明である植物栽培用支柱の高さ、幅を適宜変更、選択することで、葵のように背丈の高い植物から、桔梗、かすみ草、キンギョ草などの背丈の低い植物まで見映えよく、コンパクトに支えることができる。
【００２２】
また、壁などに横軸の両端を接して設置し、植物を見映えよく、コンパクトに栽培することができる。鉢、プランターに植えられた植物をベランダなどに置き、壁に立て掛け、或いは壁などに立て掛けず自立して栽培することもできる。
【００２３】
前記取り付けは、前記縦軸及び横軸の素材が、金属性であれば溶接し、プラスチック素材であれば、嵌め込み式にすると良い。金属性であれば、大型のツル性の植物、大きな野菜、果物を結実する植物でも、重さで破損することなく、安定して植物を支持することができる。当然に結束、接着、ネジとボルトで固定しても良い。
【００２４】
嵌め込み式としては、図１６、図１７に示す方法がある。縦軸に横軸を嵌める方法については図１６を参照し、横軸に縦軸を嵌める方法については図１７を参照して説明する。
【００２５】
図１６は、横軸による嵌め込み式嵌合部の縦断面図である。嵌合部１６とは、縦軸１６ａに設けられた溝１６ｂに、横軸１６ｃを嵌め込んだ部分である。溝１６ｂは、横軸１６ｃが丸棒状であれば、横軸１６ｃの断面の直径より僅かに大きい円によって縦軸１６ａに削り込むような形状に形成するが、前記円の中心１６ｅは、縦軸１６ａの外縁１６ｄより内側にある。これにより、溝１６ｂの両突端が横軸１６ｃを嵌め込み、抜けを防止し、縦軸１６ａと横軸１６ｃを簡易かつ強固に連結固定することかできる。
【００２６】
図１７は、縦軸による嵌め込み式嵌合部の横断面図である。嵌合部１７とは、横軸１７ａに設けられた溝１７ｂに、縦軸１７ｃを嵌め込んだ部分である。溝１７ｂは、縦軸１７ｃが丸棒状であれば、縦軸１７ｃの断面の直径より僅かに大きい円によって横軸１７ａに削り込むような形状に形成するが、前記円の中心１７ｅは、横軸１７ａの外縁１７ｄより内側にある。これにより、溝１７ｂの両突端が縦軸１７ｃを嵌め込み、抜けを防止し、横軸１７ａと縦軸１７ｃを簡易かつ強固に連結固定することができる。
【００２７】
図１６、１７に示すように、縦軸、横軸に溝１６ｂ、１７ｂを複数形成することで、前記空間２ｅの広さを自在に変更することができ、特に、結束を要するツル性植物の栽培直後から大きく成長した後でも、結束する場所を自在に変更することができるため、大きさの異なる支柱を複数所持する必要がない。
【００２８】
さらに、横軸、縦軸に両方に溝１６ｂ、１７ｂを形成することで、前記空間２ｅの広さを、より自在に調節することができ、成育の速度、大きさの異なる多種類の植物の支柱として使用が可能である。
【実施例２】
【００２９】
図２は、本発明である植物栽培用支柱セットの第１の実施例の斜視図である。植物栽培用支柱セット１Ａは、ここでは図１に示す植物栽培用支柱１を２つ使用し、横軸の両端が接するよう背を向かい合わせ、植物を中心に円状に植物を囲い支えることができる。横軸が扇型などであれば、複数使用し、植物を中心に円状に植物を囲い支えることができる。当然に、植物を中心に配置せず、外側部に配置し、円状に配置した植物栽培支柱セット１Ａの外側からツルを這わせ、結束し、オベリスク様に使用することもできる。
【００３０】
本発明は、円形でない支柱であるため、植物の生育途中からでも植物を支えることがでる。例えば、円筒形状の輪を複数、円状に配置された複数の縦軸に固定したオベリスクなどでは、成育初期から使用しなければならない。植物を輪の中心に配置するような場合、植物の頂点から被せるようにして設置するため、ツル、枝、葉、花、果実、野菜が傷付き、途中からオベリスク様の支柱を設置すると植物にダメージを与えてしまい、好ましくないからである。
【実施例３】
【００３１】
図３は、本発明である植物栽培用支柱の第２の実施例の斜視図である。植物栽培用支柱１ａは、設置面に向かって、間隔が狭くなる複数の縦軸と、縦軸に垂直に交叉するように取り付けられる複数の大きさの異なる弧状の横軸からなり、前記縦軸の下部に、地中に埋設する部分である差込部５ｇを設けてなる。その結果、格子を形成し、略長方形〜略台形の空間４ｆを形成する。
【００３２】
例えば、ここでは縦軸７本、第１縦軸５〜第７縦軸５ｆと、前記縦軸の上頂点らか等間隔で、半円形の下に行くに従って小さい横軸５本、第１横軸４〜第５横軸４ｄを取り付けて形成した、設置面に向かって細くなる全体として上部が広い円筒形の植物栽培用支柱１ａの例を示した。
【００３３】
これにより、下方が狭く形成されているため、特に、下部元はコンパクトで、枝先が扇型に広がるツル性の植物、下部もとの枝が細く、先端（上部）が重くなり倒れやすい花木に向く、例えば、桔梗、かすみ草、ゆり、シュラブ樹形のバラなどがある。また、下部がコンパクトに形成されているため、コンテナに自立し使用することに適している。その他については、植物栽培用支柱１と同様である。
【実施例４】
【００３４】
図４は、本発明である植物栽培用支柱セットの第２の実施例の斜視図である。植物栽培用支柱セット１Ｂは、ここでは図３に示す植物栽培用支柱１ａを２つ使用し、横軸の両端が接するよう背を向かい合わせ、植物を中心に円状に植物を囲い支えることができる。その他について、植物栽培用支柱セット１Ａと同様である。
【実施例５】
【００３５】
図５は、本発明である植物栽培用支柱の第３の実施例の斜視図である。植物栽培用支柱１ｂは、設置面に向かって、間隔が狭くなる複数の縦軸と、縦軸に垂直に交叉するように取り付けられる複数の大きさの異なる弧状の横軸からなり、前記縦軸の下部に、地中に垂直に埋設する部分である差込部５ｈを設けてなる。前記縦軸と差込部５ｈは、屈曲して形成される。その他については、植物栽培用支柱１ａと同様である。
【００３６】
その結果、容易に植物栽培用支柱１ｂを地中に差し込み、設置することができる。差込部５ｈの下末端は、より差込みを容易にするために先端に向かって細く尖っているとなお良い。また、植物栽培用支柱セット１Ｂのように、植物栽培用支柱１ｂを２つ向かい合わせ、植物を中心に配置して、円状に植物を囲い、支えてもよい。
【実施例６】
【００３７】
図６は、本発明である植物栽培用支柱の第４の実施例の斜視図である。植物栽培用支柱１ｃは、左右略Ｌ字支柱６、６ａと、左右略Ｌ字支柱６、６ａの略水平部６ｃ、６ｃの屈曲点６ｂ、６ｂから複数の等距離の位置を結ぶ、複数の弧状の横軸からなる。ここでは前記横軸３本、内横軸７、中横軸７ａ、外横軸７ｂを使用した植物栽培用支柱１ｃの例を示した。
【００３８】
この結果、全体として横軸は半円を形成し、植物を水平に支えることができる。特に、スタンダード仕立てに接ぎ木されたツル性のバラなどを支えるのに向く。なお、横軸の使用本数、横軸の直径は、支える植物の大きさ、設置場所により、適宜変更する。また、屈曲点６ｂ、６ｂも支える植物の大きさ、目的により適宜角度Ａを調節するとよい。
【００３９】
例えば、∠Ａは、３０°〜１２０°の範囲で、花などを見映えよく支えることができる。鋭角であれば、ランブラー系のバラを風になびかせて観賞することができ、鈍角であればペチュニアなどの花茎の細いうなだれる花などを、見映えよく支え栽培することができる。
【００４０】
さらに、横軸は弧状であれば、半円、半楕円、半楕円などを任意の大きさに分割した形状、扇型形状など多彩な弧状形状を選択し得る。
【実施例７】
【００４１】
図７は、本発明である植物栽培用支柱セットの第３の実施例の斜視図である。植物栽培用支柱セット１Ｃは、ここでは図６に示す植物栽培用支柱１ｃを２つ使用し、左右略Ｌ字支柱を近接し、横軸が全体として円を形成するように向かい合わせ設置し、植物を中心に円状に植物を囲い支えることができる。
【実施例８】
【００４２】
図８は、本発明である植物栽培用支柱の第５の実施例の斜視図である。植物栽培用支柱１ｄは、複数の縦軸と、縦軸に垂直に交叉するように取り付けられる複数の角状の横軸からなり、前記縦軸の下部に、地中に埋設する部分である差込部９ｇを設けてなる。
【００４３】
例えば、ここでは縦軸７本、第１縦軸９〜第７縦軸９ｆと、前記縦軸の上頂点らか等間隔で、角状の横軸４本、第１横軸８〜第４横軸８ｃを取り付けて形成した植物栽培用支柱１ｄの例を示した。
【００４４】
このときの横軸の内角Ｂは、鋭角であれば壁面などの設置場所から突出した形状に、鈍角であれば壁面などの設置場所に這うような景観で植物を支えることができる。植物の成育特性、設置場所により、任意に内角Ｂを変更する。また、内角Ｂを可動式としてもよい。
【００４５】
可動式は、例えば、角状の横軸の頂点部分を分断し、分断された横軸２本に穴を穿孔し、２本の横軸をネジとボルトで回動できるように固定することでできる。このとき横軸の屈折部に縦軸を使用しなくてもよい。図８では第４縦軸９ｃを除けばよい。
【実施例９】
【００４６】
図９は、本発明である植物栽培用支柱の第６の実施例の斜視図である。植物栽培用支柱１ｅは、複数の縦軸と、縦軸に垂直に交叉するように取り付けられる複数のコの字状の横軸からなり、前記縦軸の下部に、地中に埋設する部分である差込部１１ｈを設けてなる。
【００４７】
例えば、ここでは縦軸８本、第１縦軸１１〜第８縦軸１１ｇと、前記縦軸の上頂点らか等間隔で、コの字状の横軸を４本、第１横軸１０〜第４横軸１０ｃを取り付けて形成した植物栽培用支柱１ｅの例を示した。
【００４８】
このときの横軸の内角は、９０°以上であり、鋭角のときは壁面などの設置場所から突出した形状に、鈍角であれば壁面などの設置場所に這うような外観で植物を支えることができる。植物の成育特性、設置場所により任意に屈曲部の内角を適宜変更する。また、内角を前述したような可動式としてもよい。
【実施例１０】
【００４９】
図１０は、本発明である植物栽培用支柱の第７の実施例の斜視図である。植物栽培用支柱１ｆは、複数の縦軸と、縦軸に垂直に交叉するように取り付けられる複数の多角形状の横軸からなり、前記縦軸の下部に、地中に埋設する部分である差込部１３ｇを設けてなる。
【００５０】
例えば、ここでは縦軸７本、第１縦軸１３〜第７縦軸１３ｆと、前記縦軸の上頂点らか等間隔で、多角形状の横軸５本、第１横軸１２〜第５横軸１２ｄを取り付けて形成した植物栽培用支柱１ｆの例を示した。
【００５１】
このときの横軸は任意の多角とすることができる。植物の成育特性、設置場所により、任意に屈曲部の内角を適宜変更する。また、内角を前記と同様に可動式としてもよい。
【実施例１１】
【００５２】
図１１は、本発明である植物栽培用支柱の第８の実施例の斜視図である。植物栽培用支柱１ｇは、設置面に向かって間隔が狭くなり、かつ上部に向かって弓なりに外側に反る複数の縦軸と、縦軸に垂直に交叉するように取り付けられる複数の大きさの異なる弧状の横軸からなり、前記縦軸の下部に、地中に埋設する部分である差込部１５ｅを設けてなる。
【００５３】
例えば、ここでは縦軸５本、第１縦軸１５〜第５縦軸１５ｄと、前記縦軸の上頂点らか等間隔で、半円形の下に行くに従って小さい径の横軸７本、第１横軸１４〜第７横軸１４ｆを取り付けて形成した、設置面に向かって細くなり、かつ上部に向かって弓なりに外側に反る全体として上部が広いラッパ形状の植物栽培用支柱１ｇの例を示した。
【００５４】
これによりなる本発明である植物栽培用支柱１ｇは、風雨等で倒れないよう、また直立方向に成育するツル性植物なの花、果実、野菜の茎、枝を片側から支えることに向く。本発明である植物栽培用支柱１ｇは、上部に実、花を付ける植物を容易かつ見映えよく、コンパクトに支えることができる。
【００５５】
また、壁などに横軸の両端を接して設置し、植物を見映えよく、コンパクトに栽培することができる。鉢、プランターに植えられた植物をベランダなどに置き、壁に立て掛け、或いは壁などに立て掛けず自立して栽培することもできる。
【実施例１２】
【００５６】
図１２は、本発明である植物栽培用支柱の第４の実施例の斜視図である。植物栽培用支柱セット１Ｄは、ここでは図１１に示す植物栽培用支柱１ｇを２つ使用し、横軸の両端が接するよう背を向かい合わせ、植物を中心に外側に向かってラッパ形状に植物を囲い支えることができる。このよにうに使用するば、壁際でなく、より広いスペースで、植物をうなだれないように、或いは這わせ栽培することができる。
【００５７】
図１３は、本発明である植物栽培用支柱の第１の実施例の使用状態を示した図である。壁１８際に、植物１９を植え、栽培し、植物栽培用支柱１を壁１８際に押し当てて、差込部３ｇを地中に差込み、壁１８から弧状に突出した状態で植物１９を、自然に這わせ或いは結束し、支えることができる。
【００５８】
栽培初期から本発明である植物栽培用支柱１使用してもよいし、栽培途中から使用してもよい。栽培する植物の成長特性に合わせて、適宜選択変更することができる。また、成長の著しい植物では、成育途中で、横軸、縦軸の位置を図１６、１７に示す溝１６ｂ、１７ｂを換えることで、格子状の空間２ｅを換える、使用することもできる。また、縦軸をより長いものにすることもできる。
【００５９】
図１４は、本発明である植物栽培用支柱の第２の実施例の使用状態を示した図である。図１３で説明したと同様にして植物を支える。このように、植物の特性に合わせ、波状、略Ｌ字状、角状、コの字状、或いは多角形状の横軸を使用し、壁１８際でも植物をコンパクトに栽培することができる。
【００６０】
図１５は、本発明である植物栽培用支柱セットの第２の実施例の使用状態を示した図である。植物栽培用支柱１ａを２つ使用し、壁際でなく、より広いスペースで、植物をうなだれないように、或いは這わせ栽培することができる。同様に、波状、波状、略Ｌ字状、コの字状、或いは多角形状などの植物栽培用支柱１、１ｂ〜１ｇも植物を外側から囲み、支えることができる。支柱の形状は植物の特性に合わせ適宜選択する。扇形状の横軸を使用した植物栽培用支柱でも同様に植物を中心に複数配置し、植物の外周部を囲い支えることができる。
【００６１】
本発明である植物栽培用支柱は、半円、コの字状、或いは扇形状など分断された横軸を用いているため、例え植物の生育途中であっても、植物を傷つけることなく、容易に支柱の大きさを変更し、植物の生長段階に適したサイズの植物栽培用支柱を選択し、使用することができる。
【図面の簡単な説明】
【００６２】
【図１】本発明である植物栽培用支柱の第１の実施例の斜視図である。
【図２】本発明である植物栽培用支柱セットの第１の実施例の斜視図である。
【図３】本発明である植物栽培用支柱の第２の実施例の斜視図である。
【図４】本発明である植物栽培用支柱セットの第２の実施例の斜視図である。
【図５】本発明である植物栽培用支柱の第３の実施例の斜視図である。
【図６】本発明である植物栽培用支柱の第４の実施例の斜視図である。
【図７】本発明である植物栽培用支柱セットの第３の実施例の斜視図である。
【図８】本発明である植物栽培用支柱の第５の実施例の斜視図である。
【図９】本発明である植物栽培用支柱の第６の実施例の斜視図である。
【図１０】本発明である植物栽培用支柱の第７の実施例の斜視図である。
【図１１】本発明である植物栽培用支柱の第８の実施例の斜視図である。
【図１２】本発明である植物栽培用支柱の第４の実施例の斜視図である。
【図１３】本発明である植物栽培用支柱の第１の実施例の使用状態を示した図である。
【図１４】本発明である植物栽培用支柱の第２の実施例の使用状態を示した図である。
【図１５】本発明である植物栽培用支柱セットの第２の実施例の使用状態を示した図である。
【図１６】横軸による嵌め込み式嵌合部の縦断面図である。
【図１７】縦軸による嵌め込み式嵌合部の横断面図である。
【符号の説明】
【００６３】
１      植物栽培用支柱
１ａ    植物栽培用支柱
１ｂ    植物栽培用支柱
１ｃ    植物栽培用支柱
１ｄ    植物栽培用支柱
１ｅ    植物栽培用支柱
１ｆ    植物栽培用支柱
１ｇ    植物栽培用支柱
１Ａ    植物栽培用支柱セット
１Ｂ    植物栽培用支柱セット
１Ｃ    植物栽培用支柱セット
２      第１横軸
２ａ    第２横軸
２ｂ    第３横軸
２ｃ    第４横軸
２ｄ    第５横軸
２ｅ    空間
３      第１縦軸
３ａ    第２縦軸
３ｂ    第３縦軸
３ｃ    第４縦軸
３ｄ    第５縦軸
３ｅ    第６縦軸
３ｆ    第７縦軸
３ｇ    差込部
４      第１横軸
４ａ    第２横軸
４ｂ    第３横軸
４ｃ    第４横軸
４ｄ    第５横軸
４ｆ    空間
５      第１縦軸
５ａ    第２縦軸
５ｂ    第３縦軸
５ｃ    第４縦軸
５ｄ    第５縦軸
５ｅ    第６縦軸
５ｆ    第７縦軸
５ｇ    差込部
５ｈ    垂直差込部
６      左略Ｌ字支柱
６ａ    右略Ｌ字支柱
６ｂ    屈曲点
６ｃ    略水平部
７      内横軸
７ａ    中横軸
７ｂ    外横軸
８      第１横軸
８ａ    第２横軸
８ｂ    第２横軸
８ｃ    第３横軸
９      第１縦軸
９ａ    第２縦軸
９ｂ    第３縦軸
９ｃ    第４縦軸
９ｄ    第５縦軸
９ｅ    第６縦軸
９ｆ    第７縦軸
９ｇ    差込部
１０    第１横軸
１０ａ  第２横軸
１０ｂ  第３横軸
１０ｃ  第４横軸
１１    第１縦軸
１１ａ  第２縦軸
１１ｂ  第３縦軸
１１ｃ  第４縦軸
１１ｄ  第５縦軸
１１ｅ  第６縦軸
１１ｆ  第７縦軸
１１ｇ  第８縦軸
１１ｈ  差込部
１２    第１横軸
１２ａ  第２横軸
１２ｂ  第３横軸
１２ｃ  第４横軸
１２ｄ  第５横軸
１３    第１縦軸
１３ａ  第２縦軸
１３ｂ  第３縦軸
１３ｄ  第４縦軸
１３ｅ  第５縦軸
１３ｆ  第６縦軸
１３ｇ  差込部
１４    第１横軸
１４ａ  第２横軸
１４ｂ  第３横軸
１４ｃ  第４横軸
１４ｄ  第５横軸
１４ｅ  第６横軸
１４ｆ  第７横軸
１５    第１縦軸
１５ａ  第２縦軸
１５ｂ  第３縦軸
１５ｃ  第４縦軸
１５ｄ  第５縦軸
１５ｅ  差込部
１６    嵌合部
１６ａ  縦軸
１６ｂ  溝
１６ｃ  横軸
１６ｄ  外縁
１６ｅ  中心
１７    嵌合部
１７ａ  横軸
１７ｂ  溝
１７ｃ  縦軸
１７ｄ  外縁
１７ｅ  中心
１８    壁
１９    植物
【図１】
2008035794.tif 000003
【図２】
2008035794.tif 000004
【図３】
2008035794.tif 000005
【図４】
2008035794.tif 000006
【図５】
2008035794.tif 000007
【図６】
2008035794.tif 000008
【図７】
2008035794.tif 000009
【図８】
2008035794.tif 000010
【図９】
2008035794.tif 000011
【図１０】
2008035794.tif 000012
【図１１】
2008035794.tif 000013
【図１２】
2008035794.tif 000014
【図１３】
2008035794.tif 000015
【図１４】
2008035794.tif 000016
【図１５】
2008035794.tif 000017
【図１６】
2008035794.tif 000018
【図１７】
2008035794.tif 000019